(57)【要約】【課題】  現在視聴しているテレビ番組を遠隔操作によって即座に録画することができる携帯端末装置、番組録画システム、及び番組録画方法を提供することを目的とする。【解決手段】  本発明に係る携帯端末装置は、テレビ番組を表示する機能を有する携帯端末装置１１であって、テレビ番組の電波を受信するテレビ放送受信部２５と、テレビ放送受信部２５によって受信された電波からテレビ番組のチャンネル番号を取得し、取得されたチャンネル番号に基づいて、テレビ番組の録画要求をする録画要求メールを作成するメール制御部２１２とを備えたものである。【選択図】  図２
2005252843.tif 000002
【特許請求の範囲】
【請求項１】
テレビ番組を表示する機能を有する携帯端末装置であって、
前記テレビ番組の電波を受信する電波受信手段と、
当該電波手段によって受信された前記電波から前記テレビ番組の番組情報を取得する番組情報取得手段と、
当該番組情報取得手段によって取得された前記番組情報に基づいて、前記テレビ番組の録画要求をする録画要求メールを作成するメール制御手段とを備えた携帯端末装置。
【請求項２】
前記メール制御手段は、予め定められたメールフォーマットに基づいて、前記録画要求メールを作成することを特徴とする請求項１記載の携帯端末装置。
【請求項３】
当該携帯端末装置は、前記番組情報と前記テレビ番組の終了時刻とを関連付けた番組スケジュールを有し、
前記番組情報取得手段は、前記番組情報を取得するとともに、当該番組スケジュールから前記テレビ番組の終了時刻を取得し、
前記メール制御手段は、前記番組情報と当該テレビ番組の終了時刻とに基づいて前記録画要求メールを作成することを特徴とする請求項１又は２記載の携帯端末装置。
【請求項４】
テレビ番組を表示する機能を有する携帯端末装置であって、
前記テレビ番組の電波を受信する電波受信手段と、
当該電波受信手段によって受信された電波から前記テレビ番組の番組情報を取得する番組情報取得手段と、
当該番組情報取得手段によって取得された前記番組情報に基づいて、前記テレビ番組の録画要求をするトーン信号を作成し、当該トーン信号を出力するトーン信号制御手段とを備えた携帯端末装置。
【請求項５】
当該トーン信号は、プッシュトーンであることを特徴とする請求項３記載の携帯端末装置。
【請求項６】
前記番組情報は、前記テレビ番組のチャンネル番号であることを特徴とする請求項１乃至５のいずれかに記載の携帯端末装置。
【請求項７】
請求項１、２、３、６のいずれかに記載の携帯端末装置と、前記テレビ番組を録画する番組録画装置とを有し、当該携帯端末装置と番組録画装置とが通信網を介して接続された番組録画システムであって、
前記番組録画装置は、前記録画要求メールを受信し、当該受信した録画要求メールに応じて前記テレビ番組を録画する番組録画システム。
【請求項８】
請求項４、５、６のいずれかに記載の携帯端末装置と、前記テレビ番組を録画する番組録画装置とを有し、当該携帯端末装置と番組録画装置とが電話回線網を介して接続された番組録画システムであって、
前記番組録画装置は、前記トーン信号を入力し、当該入力したトーン信号に応じて前記テレビ番組を録画する番組録画システム。
【請求項９】
テレビ番組を録画する方法であって、
前記テレビ番組の電波を受信するステップと、
当該受信した前記電波から前記テレビ番組の番組情報を取得するステップと、
当該取得した前記番組情報に基づいて、前記テレビ番組の録画要求をする録画要求メールを作成するステップと、
当該作成した録画要求メールを出力するステップとを備えた番組録画方法。
【請求項１０】
テレビ番組を録画する方法であって、
前記テレビ番組の電波を受信するステップと、
当該受信した電波から前記テレビ番組の番組情報を取得するステップと、
当該取得した前記番組情報に基づいて、前記テレビ番組の録画要求をするトーン信号を作成するステップと、
当該作成したトーン信号を出力するステップとを備えた番組録画方法。
【発明の詳細な説明】
【技術分野】
【０００１】
本発明は、携帯端末装置、番組録画システム、及び番組録画方法に関する。
【背景技術】
【０００２】
近年、インターネット上に設置されたテレビ番組表を配信するサーバを利用してテレビ番組の録画予約を行う方法が開発されている。利用者は、番組録画用サーバからテレビ番組表を取得し、そのテレビ番組表を元に電子メールやウェブ等を用いた遠隔操作によってテレビ番組の録画予約を行う。特許文献１に、このような携帯端末を用いてテレビ番組の録画予約をするシステムが開示されている。
【０００３】
このシステムでは、ユーザは、サーバ装置から配信されたテレビ番組の番組表を携帯電話機によって受信し、この番組表を参照して携帯電話機からサーバ装置に対してテレビ番組の録画予約を行う。
サーバ装置は、この録画予約によって録画予約されたテレビ番組を録画する。ユーザがサーバ装置に録画したテレビ番組の視聴要求をすると、サーバ装置は、録画したテレビ番組を携帯電話機に送信する。これによって、ユーザは録画したテレビ番組を視聴することができる。
【０００４】
また、特許文献２には、ユーザから録画要求を受け付けたテレビ番組を録画するシステムが開示されている。特許文献１におけるシステムにおいては、ユーザが、携帯端末装置を用いてテレビ番組を視聴している。このとき、ユーザが番組を録画したい場合、携帯端末装置から録画したい番組の番組録画情報を記録センターに送信する。記録センターは、この番組録画情報に応じて、携帯端末装置から録画要求のあった番組を保存する。
ユーザは、自宅の録画装置から記録センターに、自分が録画要求した番組の録画要求をすると、記録センターから番組の映像データが送信される。これによって、ユーザは、番組の映像データを録画装置によって受信し、録画要求した番組の録画・視聴可能となる。
【０００５】
このように、テレビ番組を録画するためには、予めテレビ番組の録画予約用のサーバから番組情報を取得する必要がある。そのため、携帯端末装置を用いて現在視聴しているテレビ番組を即座に遠隔において録画することはできない。また、遠隔地でテレビを視聴中にテレビ視聴を中断しなければならない場合や、どうしても録画しておきたいシーンがあった場合に、即座に遠隔操作にて録画させることはできなかった。
【０００６】
例えば、特許文献１に開示のシステムでは、ユーザは、サーバ装置から番組表の配信を受け、この番組表を用いてサーバ装置に対して録画予約を行う。そのため、ユーザは、視聴中のテレビ番組を即座に録画予約を行うことができず、録画したいシーンの録画機会を逃してしまう。
また例えば、特許文献２に開示のシステムにおいては、ユーザは、録画したい番組を記録センターにいったん保存し、この保存した番組を自宅の録画装置から再度送信要求することによって、録画した視聴することができる。そのため、ユーザは、録画したい番組を簡便に録画装置に録画することができない。
【０００７】
さらに、テレビ表示機能付き携帯端末装置には自身でテレビ番組を録画しておくことができるものもあるが、携帯端末装置の記憶容量が満足するほどの容量ではない。また、視聴者は、テレビ表示機能付き携帯端末装置の残り容量を常に気にしなければならない。
【特許文献１】特開２００３−３３９０４１号公報
【特許文献２】特開２００３−３２４６７５号公報
【発明の開示】
【発明が解決しようとする課題】
【０００８】
本発明は、このような問題点を解決するためになされたもので、現在視聴しているテレビ番組を遠隔操作によって即座に録画することができる携帯端末装置、番組録画システム、及び番組録画方法を提供することを目的とする。
【課題を解決するための手段】
【０００９】
本発明に係る携帯端末装置は、テレビ番組を表示する機能を有する携帯端末装置であって、前記テレビ番組の電波を受信する電波受信手段と、当該電波手段によって受信された前記電波から前記テレビ番組の番組情報を取得する番組情報取得手段と、当該番組情報取得手段によって取得された前記番組情報に基づいて、前記テレビ番組の録画要求をする録画要求メールを作成するメール制御手段とを備えたものである。好適には、前記メール制御手段は、予め定められたメールフォーマットに基づいて、前記録画要求メールを作成することができる。
このような構成によって、テレビ表示機能付き携帯電話やＰＨＳ（Personal Handyphone System）等において、テレビ視聴中に録画要求メールを送信することができ、このメール機能を用いて即座に遠隔地の録画装置に録画開始させることができる。
【００１０】
また、当該携帯端末装置は、前記番組情報と前記テレビ番組の終了時刻とを関連付けた番組スケジュールを有し、前記番組情報取得手段は、前記番組情報を取得するとともに、当該番組スケジュールから前記テレビ番組の終了時刻を取得し、前記メール制御手段は、前記番組情報と当該テレビ番組の終了時刻とに基づいて前記録画要求メールを作成する。
【００１１】
他方、本発明に係る携帯端末装置は、テレビ番組を表示する機能を有する携帯端末装置であって、前記テレビ番組の電波を受信する電波受信手段と、当該電波受信手段によって受信された電波から前記テレビ番組の番組情報を取得する番組情報取得手段と、当該番組情報取得手段によって取得された前記番組情報に基づいて、前記テレビ番組の録画要求をするトーン信号を作成し、当該トーン信号を出力するトーン信号制御手段とを備えたものである。好適には、当該トーン信号は、プッシュトーンである。
このような構成において、テレビ表示機能付き携帯電話やＰＨＳ等の携帯端末装置において、テレビ視聴中に通話機能（プッシュトーン送出）を用いて即座に遠隔地のテレビ録画装置に録画開始させることができる。
【００１２】
また、前記番組情報を、前記テレビ番組のチャンネル番号とすることができる。
【００１３】
本発明に係る番組録画システムは、このような携帯端末装置と、前記テレビ番組を録画する番組録画装置とを有し、当該携帯端末装置と番組録画装置とが通信網を介して接続された番組録画システムであって、前記番組録画装置は、前記録画要求メールを受信し、当該受信した録画要求メールに応じて前記テレビ番組を録画するものである。
【００１４】
他方、本発明に係る番組録画システムは、このような携帯端末装置と、前記テレビ番組を録画する番組録画装置とを有し、当該携帯端末装置と番組録画装置とが電話回線網を介して接続された番組録画システムであって、前記番組録画装置は、前記トーン信号を入力し、当該入力したトーン信号に応じて前記テレビ番組を録画するものである。
【００１５】
本発明に係る番組録画方法は、テレビ番組を録画する方法であって、前記テレビ番組の電波を受信するステップと、当該受信した前記電波から前記テレビ番組の番組情報を取得するステップと、当該取得した前記番組情報に基づいて、前記テレビ番組の録画要求をする録画要求メールを作成するステップと当該作成した録画要求メールを出力するステップとを備えたものである。
【００１６】
他方、本発明に係る番組録画方法は、テレビ番組を録画する方法であって、前記テレビ番組の電波を受信するステップと、当該受信した電波から前記テレビ番組の番組情報を取得するステップと、当該取得した前記番組情報に基づいて、前記テレビ番組の録画要求をするトーン信号を作成するステップと、当該作成したトーン信号を出力するステップとを備えたものである。
【発明の効果】
【００１７】
本発明によれば、現在視聴しているテレビ番組を遠隔操作によって即座に録画することができる携帯端末装置、番組録画システム、及び番組録画方法を提供することができる。
【発明を実施するための最良の形態】
【００１８】
本発明に係る番組録画システムは、テレビ表示機能付き携帯端末装置において、ユーザがテレビ視聴中に何らかの理由により視聴を中断しなければならない場合やどうしても録画したいシーンがあった場合に、ユーザは、自宅等に設置されたテレビ録画装置を遠隔操作してテレビ番組を録画するシステムである。
また、本発明は、電子メールの送受信またはプッシュトーンの送出が可能で、かつテレビ表示可能な携帯電話機、ＰＨＳ、ＰＤＡ（Personal Data Assistance，Personal Digital Assistants：個人向け携帯型情報通信機器）等の携帯端末装置に適用することができる。
以下、本発明を実施するための最良の形態について図を参照して説明する。
【００１９】
発明の実施の形態１．
まず、図１を用いて、本発明に係るテレビの番組録画システムの概略について説明する。図１は、本発明に係る番組録画システムの全体構成の一例を示す概略図である。この図１においては符号１によって、この番組録画システムが全体的に示されている。
図１において、１１は携帯電話機、１２は基地局、１３はインターネット網、１４は番組録画装置、１５はデータ伝送線である。
【００２０】
図１に示すように、番組録画システム１において、携帯電話機１１を用いてテレビ番組を視聴しているユーザに、テレビ番組の視聴を中止する必要性が生じる。すると、携帯電話機１１は、特定のフォーマットによって、電子メール（以下、単にメールと略す）を自動的に作成する。このメールは、番組録画装置１４に対して、ユーザが視聴中であるテレビ番組の録画を要求するメール（以下、これを録画要求メールと称す）である。
【００２１】
携帯電話機１１は、番組録画装置１４に対して、作成したテレビ番組の録画要求メールを送信する。携帯電話機１１から送信されたメールは、メールを中継する基地局１２によって受信される。このメールを受信した基地局１２は、インターネット網１３、電話回線等のデータ伝送線１５を介して、この録画要求メールを番組録画装置１４に送信する。これによって、ユーザは、携帯電話機１１から基地局１２を介して、番組録画装置１４を遠隔制御し、番組録画装置１４に視聴中のテレビ番組を録画することができる。
【００２２】
続いて、本発明に係る携帯電話機１１の内部構成について説明する。本発明に係る携帯電話機１１は、テレビ表示機能に加え、特定のメールフォーマットによってメールを作成する機能を有する装置である。
図２のブロック図に、携帯電話機１１の内部構成の一例が示されている。携帯電話機１１は、制御部２１、記憶部２２、表示部２３、無線部２４、テレビ放送受信部２５、送受話部２６、操作部２７、スピーカ部２８を備えている。
【００２３】
制御部２１は、ＣＰＵ等の中央演算処理装置から構成され、携帯電話機１１の動作に必要なプログラムやデータを利用して各種処理を実行する。
制御部２１は、テレビ制御部２１１、メール制御部２１２を有する。テレビ制御部１０８は、テレビ放送受信部１０５によって受信したテレビ番組に関する電波の表示部２３に対する表示制御を行ったり、スピーカ部２８に対する出力制御を行ったりする。メール制御部２１２は、受信しているテレビ番組のチャンネル情報をもとに、テレビ番組の録画要求メールの作成、送信を行う。
【００２４】
記憶部２２は、ＲＡＭ、ＲＯＭ等の記憶媒体から構成され、制御部２１が行う各種処理のデータやコンピュータプログラム等を記憶している。さらに、この記憶部２２には、メール制御部２１２によって作成される録画要求メールのメールフォーマットが設定されている。また、記憶部２２に、メール制御部２１２が他種類の番組録画装置１４に対応するために、予め決められた複数のメールフォーマットを設定してもよい。
【００２５】
表示部２３は、テレビ画像、メール作成画面等を表示する液晶表示装置等から構成されている。
無線部２４は、基地局１２と無線通信するための無線モジュール等であり、無線通信に必要な通信プロトコルを実装している。
テレビ放送受信部２５は、テレビ番組に関する電波を受信する受信モジュールであり、この電波を受信するアンテナ、受信した複数のテレビ番組の中から制御部２１により指定されたテレビ番組の信号を抽出するチューナ等から構成されている。
【００２６】
送受話部２６は、音声の入出力を行うマイク、スピーカ、Ａ／Ｄ変換回路、Ｄ／Ａ変換回路等である。
操作部２７は、キー入力を行う操作ボタン等から構成され、携帯電話機１１の操作入力が行われる。
スピーカ部２８は、スピーカ等から構成され、視聴中のテレビ番組の音声を出力する。
【００２７】
さらに続いて、本発明に係る番組録画装置１４の内部構成について説明する。本発明に係る番組録画装置１４は、メールの受信機能を備え、特定のメールフォーマットによって番組録画が可能な装置である。
図３のブロック図に、本発明に係る番組録画装置１４の内部構成の一例が示されている。図３に示すように、番組録画装置１４は、制御部３１、記憶部３２、通信制御部３３、テレビ放送受信部３４を備えている。
【００２８】
制御部３１は、ＣＰＵ等の中央演算処理装置により構成されている。この制御部３１は、テレビ番組の録画予約やろく該したテレビ番組の再生等を行うためのコンピュータプログラムや処理用データを利用して各種処理を実行する。
制御部３１は、メール解析部３１１、録画処理部３１２、再生処理部３１３、テレビ制御部３１４を有する。メール解析部３１１は、基地局１２を介して携帯電話機１１から送信された録画要求メールを、メールフォーマットに基づいて解析する。録画処理部３１２は、図示しないタイマーによってテレビ番組の録画開始及び録画終了時間を認識し、所定のデータ圧縮形式でテレビ番組を録画して記憶部３２に格納する。
【００２９】
再生処理部３１３は、録画したテレビ番組を記憶部３２から読み出し、録画したテレビ番組を指示されたデータ圧縮形式に変換して再生する。テレビ制御部３１４は、テレビ放送受信部３４によって受信したテレビ番組に関する電波の録画処理部３１２に対する出力制御を行う。
【００３０】
記憶部３２は、ＲＡＭ、ＲＯＭ等の記録媒体により構成され、テレビ番組の録画予約プログラム等のアプリケーションプログラム、各種処理データを記憶する。また例えば、録画処理部３１２が行う番組録画のための番組録画テーブルを格納することもできる。
【００３１】
通信制御部３３は、例えば通信モデム装置により構成され、基地局１２と通信するための通信プロトコルを実装する。
テレビ放送受信部３４は、テレビ番組に関する電波を受信する受信モジュールであり、この電波を受信するアンテナ、受信した複数のテレビ番組の中から制御部３１により指定されたテレビ番組の信号を抽出するチューナ等から構成されている。
【００３２】
操作部３５は、キー入力を行う操作ボタン、リモートコントローラとこれと無線通信する無線モジュール等から構成され、録画装置１４の操作入力が行われる。
入出力部３６は、図示しない表示装置からの外部入力端子、外部出力のための出力端子等から構成されている。
【００３３】
次に、本発明に係る番組録画システム１の処理動作について説明する。図４に、この番組録画システム１が行う処理動作の一例が示されている。ここで、図５を適宜参照しながら説明する。なお、図４においては、基地局１２は携帯電話機１１から受信した録画要求メールを番組録画装置１４に対して転送するが、その処理動作を省略している。
【００３４】
制御部２１は、メール制御部２１２によって、番組録画装置１４が解析可能なメールフォーマットを記憶部２２に設定する。ユーザは、テレビ表示機能を有する携帯電話機１１によって、テレビ番組を視聴している（Ｓ１０１）。具体的には、ユーザが操作部２７を操作すると、テレビ制御部２１１は、テレビ放送受信部２５が受信した電波の出力制御をする。これによって、表示部２３にテレビ番組が表示され、スピーカ部２８から音声が出力されている。
【００３５】
ユーザが何らかの理由によりテレビ視聴を中断しなければならない場合（Ｓ１０２）、携帯電話機１１は、テレビ制御部２１１より現在視聴中のチャンネル情報を取得する（Ｓ１０３）。その情報を元に、メール制御部２１２は、番組録画装置１４が解析可能なフォーマットの録画要求メールを作成する（Ｓ１０４）。
【００３６】
例えば、メール制御部２１２は、ユーザが視聴中のテレビの視聴を強制終了して中断した場合に、終了直前のチャンネル情報を取得し、録画要求メールを自動で作成する。また例えば、ユーザがテレビ視聴を中断する際に選択することができるように、携帯電話機１１の動作選択を行うためのメニューバーに“録画要求メールの作成”を設けてもよい。
【００３７】
図５に、携帯電話機１１が作成した録画要求メールの一例が、図５に示されている。図５に示された録画要求メールにおいては、“宛先”、“件名”、“メッセージ”がメールフォーマットによって定められている、図５のように、メール制御部２１２は、例えばユーザの自宅にある番組録画装置１４を示す宛先“tv_rec@abcd.ne.jp”、録画要求を示す件名“テレビ録画”をメールフォーマットとして記憶部２２から読み込む。それとともに、メール制御部２１２は、取得したチャンネル情報から、メッセージ欄に今視聴していたチャンネル番号“チャンネル＝１２”を入力する。
【００３８】
メール制御部２１２は、作成されたメールを無線部２４から基地局１２に対して送信する（Ｓ１０５）。基地局１２は、携帯電話機１１から送信された録画要求メールを受信すると、インターネット網１３、データ伝送線１５を介して、ユーザの自宅（遠隔地）にある番組録画装置１４へと転送する。
【００３９】
番組録画装置１４は、通信制御部３３によって、基地局１２からメールを受信する（Ｓ２０１）。制御部３１は、メール解析部３１１によって、予め設定されたメールフォーマットで規定された録画要求メールを解析する（Ｓ２０２）。具体的には、図５に示された録画要求メールの場合には、メール解析部３１１は、メールの件名“テレビ録画”、メッセージ欄のチャンネル番号(チャンネル＝１２)を認識する。
【００４０】
録画処理部３１２は、メール解析部３１１による解析結果を抽出し、この抽出内容に基づいて、番組録画を開始し、番組録画装置１４は、番組録画を開始する（Ｓ２０３）。録画開始を受けて、テレビ制御部３１４は、テレビ放送受信部３４によって受信されたテレビ番組に関する電波の出力制御を行い、録画処理部３１２は、出力されたテレビ番組を示すデータを記憶部３２に格納する（Ｓ２０４）。
【００４１】
また、番組録画装置１４が解析可能なメールフォーマットとして録画時間を記憶部３２に設定しておくこともできる。具体的には、録画処理部３１２は、図示しないタイマーによって、記憶部３２に設定された録画時間が経過すると、録画を終了する。これにより、番組録画装置１４を特定時間の間だけ録画させることが可能となる。
【００４２】
以上説明したように、本発明に係る番組録画システム１においては、メール制御部２１２が視聴中のテレビ番組のチャンネル情報を取得し、これに基づいて録画要求メールを作成する。それゆえ、テレビ表示機能とメール作成・送信機能とが連動するので、ユーザがテレビ視聴中に何らかの理由により視聴を中断する場合に、即座に遠隔地にある番組録画装置１４に録画開始させることができる。また、中断しない場合でも録画しておきたいシーンがあった場合にも、ユーザは遠隔地から番組録画装置１４を制御して録画開始させることができる。
【００４３】
さらに、携帯電話機１１の記憶部２２に、予め番組録画装置１４が解析可能なメールフォーマットが登録されている。これによって、録画要求メール作成時にテレビの番組情報を自動で取得することができる。従って、ユーザがチャンネル情報や録画開始時間等のようなテレビ番組の情報について入力を行うことなく、番組録画装置１４に録画要求メールを送信して録画開始させることができる。
【００４４】
さらにまた、ユーザは、携帯電話機１１を用いて容易に遠隔操作するによって、簡易にテレビ番組の録画をすることが可能となる。そのため、携帯電話機１１に録画機能を実装する必要がなく、携帯電話機１１のシステムを簡単にすることが可能である。また、携帯電話機１１に録画用の記憶領域を実装する必要がないので、携帯電話機１１のコストが上昇するの回避することができる。
【００４５】
また、携帯電話機１１の記憶領域が家庭用の番組録画装置１４に比べて少ないため、ユーザは携帯電話機１１の記憶容量を気遣いながら動画であるテレビ番組を録音しなければならない。これに対して、本発明に係る番組録画システム１においては、携帯電話機１１からの遠隔操作によって、番組録画装置１４にテレビ番組の録画を行っている。これにより、携帯電話機１１に録画機能を実装した場合のように、残り記憶容量を気にすることなくテレビ番組の録画が可能となる。
【００４６】
発明の実施の形態２．
本発明の実施の形態２においては、番組録画装置が電話回線によるプッシュトーンで制御可能な場合について説明する。
図６に、本実施形態における番組録画システムの一構成例が示されている。図６において、４０は番組録画システム、４１は携帯電話機、４２は基地局、４３は電話回線網、４４は番組録画装置、４５はデータ伝送線である。図６に示すように、この番組録画システム４０においては、基地局４２と番組録画装置４４とは、電話回線網４３によって接続されている。
【００４７】
図７のブロック図に、本実施形態における携帯電話機４１の内部構成の一例が示されている。本実施形態における携帯電話機４１は、プッシュトーンによって録画要求メールを送信する。図７においては、５１は制御部である。また、図７において、携帯電話機１１における処理部と同じ処理部には、同じ符号を付し、ここでは説明を省略する。
【００４８】
図７に示すように、制御部５１は、メール制御部２１２に替えて、プッシュトーン制御部５１２を有する。プッシュトーン制御部５１２は、受信しているテレビ番組のチャンネル情報をもとに、プッシュトーンによるテレビ番組の録画要求信号の出力制御を行う。また、このプッシュトーン制御部５１２によって、番組録画装置４４が解析可能なフォーマットが記憶部２２に設定されている。
【００４９】
図８のブロック図に、本実施形態における番組録画装置４４の内部構成の一例が示されている。本実施形態における番組録画装置４４は、電話回線網４３によるプッシュトーンによって制御可能な装置であり、特定のメールフォーマットにて番組録画制御が可能な装置である。
【００５０】
図８においては、６１は制御部である。また、図８において、番組録画装置１４における処理部と同じ処理部には、同じ符号を付し、ここでは説明を省略する。図８に示すように、制御部６１は、メール解析部３１１に替えて、プッシュトーン検出部６１１を有する。このプッシュトーン検出部６１１は、基地局４２を介して携帯電話機４１から受信したトーン信号を検出する。
【００５１】
このような構成において、ユーザは、携帯電話機４１によってテレビ視聴中に遠隔地の番組録画装置４４に録画させたい場合、携帯電話機４１からプッシュトーンによって録画要求信号を発信する。これによって、電話回線網４３を介して番組録画装置４４に録画を開始させることが可能となる。
【００５２】
その他の実施の形態．
携帯電話機がテレビ番組に関するスケジュール機能を有する場合、このテレビ番組のスケジュールによって番組録画装置のＯＮ/ＯＦＦを制御することもできる。図９に、このときの表示画面の一例が示されている。
今、ユーザが携帯電話機を用いてテレビ表示されたテレビ番組を視聴している。ユーザが視聴中のテレビ番組を自宅の番組録画装置に録画させたくなった場合、上述のように、携帯電話機は、番組録画装置に対して送信する録画要求メールを作成する。この作成時に、携帯電話機は、テレビ番組のスケジュールから視聴中のテレビ番組の終了時刻を取得する。
【００５３】
携帯電話機は、図９に示されたメッセージ欄“終了時刻＝２２：００”のように、この取得したテレビ番組の終了時刻を録画要求メールに付加する。すなわち、携帯電話機は、スケジュール機能によって番組録画装置のＯＦＦ時刻を付加することができる。これによって、ユーザは、携帯電話機を用いて遠隔から、番組録画装置の録画を特定の時間に終了させることができる。
【図面の簡単な説明】
【００５４】
【図１】本発明に係る番組録画システムの一構成例を示す模式図である。
【図２】本発明に係る携帯電話機の内部構成の一例を示すブロック図である。
【図３】本発明に係る番組録画装置の内部構成の一例を示すブロック図である。
【図４】本発明に係る番組録画システムによる動作処理を示すフローチャートである。
【図５】本発明に係る携帯電話機における表示画面の一例を示す模式図である。
【図６】本発明に係る番組録画システムの他の構成例を示す模式図である。
【図７】本発明に係る携帯電話機の内部構成の他の一例を示すブロック図である。
【図８】本発明に係る番組録画装置の内部構成の他の一例を示すブロック図である。
【図９】本発明に係る携帯電話機における表示画面の他の一例を示す模式図である。
【符号の説明】
【００５５】
１  番組録画システム、１１  携帯電話機、１２  基地局、１３  インターネット網、
１４  番組録画装置、１５  データ伝送線
２１  制御部、２１１  テレビ制御部、２１２  メール制御部、２２  記憶部、
２３  表示部、２４  無線部、２５  テレビ放送受信部、２６  送受話部、
２７  操作部、２８  スピーカ部
３１  制御部、３１１  メール解析部、３１２  録画処理部、３１３  再生処理部、
３１４  テレビ制御部、３２  記憶部、３３  通信制御部、３４  テレビ放送受信部、
３５  操作部、３６  入出力部
４０  番組録画システム、４１  携帯電話機、４２  基地局、４３  電話回線網、
４４  番組録画装置、４５  データ伝送線、
５１  制御部、５１１  プッシュトーン制御部、６１  制御部、
６１１  プッシュトーン検出部
【図１】
2005252843.tif 000003
【図２】
2005252843.tif 000004
【図３】
2005252843.tif 000005
【図４】
2005252843.tif 000006
【図５】
2005252843.tif 000007
【図６】
2005252843.tif 000008
【図７】
2005252843.tif 000009
【図８】
2005252843.tif 000010
【図９】
2005252843.tif 000011